(57)【特許請求の範囲】
【請求項１】
刃体を有するヘッドをホルダの頭部に備えた剃刀において、ホルダの頭部と尻部とを結ぶホルダの長手方向の両側にそれぞれ配設した載置用支持部のうち、ホルダの頭部側に設けた載置用支持部はホルダの長手方向に対し直交する幅方向の両側にそれぞれ配設され、ホルダの尻部側に設けた載置用支持部は一つ配設され、その一対の頭部側載置用支持部と一つの尻部側載置用支持部とによる三箇所でホルダを支持して載置した状態で、その載置用支持部を含む載置面に対しヘッドを離間させ得ることを特徴とする剃刀。
【請求項２】
刃体を有するヘッドをホルダの頭部に備えた剃刀において、頭部と尻部とその頭部と尻部との間で長手方向へ延びる把持部を備えてその長手方向でＳ状に湾曲するとともに把持部に対し屈曲した屈曲部を頭部に設けたホルダにあって、ホルダの長手方向の両側にそれぞれ配設した載置用支持部のうち、その屈曲部に設けた頭部側載置用支持部とその尻部に設けた尻部側載置用支持部とでホルダを支持して載置した状態で、その載置用支持部を含む載置面に対しヘッドを離間させ得ることを特徴とする剃刀。
【請求項３】
前記ヘッドにおいて刃体の刃先は表面側で露出し、ヘッドの刃先延設方向はホルダの長手方向に対し交差し、載置面に対しヘッドの表面側を離間させ得ることを特徴とする請求項１または請求項２に記載の剃刀。
【請求項４】
前記載置用支持部は、ヘッドの表面側と裏面側とを結ぶ方向の両側のうちヘッドの表面側になるホルダの腹側に設けられていることを特徴とする請求項３に記載の剃刀。
【請求項５】
ホルダの頭部側に設けた載置用支持部は、ホルダの幅方向の両側にそれぞれ配設した載置腕部に設けられ、この一対の載置腕部間に貫通孔を設けたことを特徴とする請求項１に記載の剃刀。
【請求項６】
前記ホルダの頭部は、ホルダの幅方向の両側で前記両載置腕部から延設された支持腕部と、その両支持腕部間に設けられて前記ヘッドを備えた支持体部と、その支持体部と両支持腕部との間で囲まれて前記両載置腕部間の貫通孔から連続する貫通孔とを有していることを特徴とする請求項５に記載の剃刀。
【請求項７】
前記ホルダの載置用支持部のうち、ホルダの頭部側に設けた載置用支持部と、ホルダの尻部側に設けた載置用支持部との間で、ホルダの腹側に指入れ凹所を設けたことを特徴とする請求項４に記載の剃刀。
【発明の詳細な説明】
【技術分野】
【０００１】
本発明は、刃体を有するヘッドをホルダの頭部に備えた剃刀において、ホルダの載置状態でヘッドを保護するホルダの形態に関するものである。
【背景技術】
【０００２】
例えば下記特許文献１では、刃体の刃先を表面側で露出させたヘッドの刃先延設方向をホルダの長手方向に対し交差させた所謂Ｔ型剃刀が開示されている。
【特許文献１】特開２００３−３１１０４８号公報
【発明の開示】
【発明が解決しようとする課題】
【０００３】
上記特許文献１にかかるＴ型剃刀では、ヘッドの表面側と裏面側とを結ぶ方向の両側のうちヘッドの表面側になるホルダの腹側を載置すると、ヘッドとホルダの尻部とが載置面に接触した状態で支持されるため、使用者の肌に接触するヘッドの表面側で露出するシェービングエイドが載置面に付着したり刃先が傷付いたりするおそれがあり、また、載置面の汚れがヘッドの表面側に付着してその汚れが使用者の肌に付くおそれがあった。
【０００４】
この発明は、ホルダの形態を改良して剃刀の載置状態でヘッドを保護することを目的としている。
【課題を解決するための手段】
【０００５】
後記実施形態の図面（図１〜２）の符号を援用して本発明を説明する。
請求項１の発明にかかる剃刀においては、刃体１２を有するヘッド１１をホルダ１の頭部２に備え、ホルダ１の頭部２と尻部３とを結ぶホルダ１の長手方向Ｘの両側にそれぞれ配設した載置用支持部１５，１６，１４ｂ，１８ｂのうち、ホルダ１の頭部２側に設けた載置用支持部１５はホルダ１の長手方向Ｘに対し直交する幅方向Ｙの両側にそれぞれ配設され、ホルダ１の尻部３側に設けた載置用支持部１６，１４ｂ，１８ｂは一つ配設され、その一対の頭部側載置用支持部１５と一つの尻部側載置用支持部１６，１４ｂ，１８ｂとによる三箇所でホルダ１を支持して載置した状態で、その載置用支持部１５，１６，１４ｂ，１８ｂを含む載置面Ｐに対しヘッド１１を離間させ得る。
【０００６】
請求項１の発明では、ホルダ１の載置状態でヘッド１１が載置面Ｐに当らないので、ヘッド１１を保護することができる。また、一対の頭部側載置用支持部１５と一つの尻部側載置用支持部１６，１４ｂ，１８ｂとによる三箇所でホルダ１を三点支持により安定性良く載置することができる。
請求項２の発明にかかる剃刀においては、刃体１２を有するヘッド１１をホルダ１の頭部２に備え、頭部２と尻部３とその頭部２と尻部３との間で長手方向Ｘへ延びる把持部４を備えてその長手方向ＸでＳ状に湾曲するとともに把持部４に対し屈曲した屈曲部５を頭部２に設けたホルダ１にあって、ホルダ１の長手方向Ｘの両側にそれぞれ配設した載置用支持部１５，１６のうち、その屈曲部５に設けた頭部側載置用支持部１５とその尻部３に設けた尻部側載置用支持部１６とでホルダ１を支持して載置した状態で、その載置用支持部１５，１６を含む載置面Ｐに対しヘッド１１を離間させ得る。そのため、頭部側載置用支持部１５と尻部側載置用支持部１６との間で把持部４を載置面Ｐから離すように湾曲させるとともに、頭部２を頭部側載置用支持部１５からヘッド１１側へ向うに従い載置面Ｐから離すように延設させることができる。
請求項２の発明では、ホルダ１の載置状態でヘッド１１が載置面Ｐに当らないので、ヘッド１１を保護することができる。また、ホルダ１に頭部側載置用支持部１５と尻部側載置用支持部１６とを簡単に設けることができる。
請求項１または請求項２の発明を前提とする請求項３の発明にかかる剃刀において、ヘッド１１の刃体１２の刃先１２ａは表面側で露出し、ヘッド１１の刃先延設方向はホルダ１の長手方向Ｘに対し交差し、載置面Ｐに対しヘッド１１の表面側を離間させ得る。
【０００７】
請求項３の発明では、ホルダ１の載置状態で使用者の肌に接触するヘッド１１の表面側が載置面Ｐに当らないので、ヘッド１１の刃先１２ａを保護することができる。
請求項３の発明を前提とする請求項４の発明において、前記載置用支持部１５，１６，１４ｂ，１８ｂは、ヘッド１１の表面側と裏面側とを結ぶ方向の両側のうちヘッド１１の表面側になるホルダ１の腹側に設けられている。請求項４の発明では、ホルダ１の腹側にある載置用支持部１５，１６，１４ｂ，１８ｂを載置した状態でヘッド１１の表面側が載置面Ｐに当らないので、ヘッド１１の刃先１２ａを保護することができる。
請求項１の発明を前提とする請求項５の発明において、ホルダ１の頭部２側に設けた載置用支持部１５は、ホルダ１の幅方向Ｙの両側にそれぞれ配設した載置腕部６に設けられ、この一対の載置腕部６間に貫通孔７を設けている。
請求項５の発明では、頭部側載置用支持部１５を両載置腕部６で簡単に設けることができるとともに、両載置腕部６に設けた頭部側載置用支持部１５を貫通孔７により互いに離間させることができる。
請求項５の発明を前提とする請求項６の発明において、前記ホルダ１の頭部２は、ホルダ１の幅方向Ｙの両側で前記両載置腕部６から延設された支持腕部８と、その両支持腕部８間に設けられて前記ヘッド１１を備えた支持体部９と、その支持体部９と両支持腕部８との間で囲まれて前記両載置腕部６間の貫通孔７から連続する貫通孔１０とを有している。
請求項６の発明では、両載置腕部６間の貫通孔７と両支持腕部８間の貫通孔１０とにより、ホルダ１を軽量化するとともに、使用時の視界を広げることができる。また、例えばホルダ１をヘッド１１の上側にして鼻の下側を逆剃りする場合に鼻が貫通孔１０に逃げて剃り易い。
請求項４の発明を前提とする請求項７の発明においては、前記ホルダ１の載置用支持部１５，１６のうち、ホルダ１の頭部２側に設けた載置用支持部１５と、ホルダ１の尻部３側に設けた載置用支持部１６との間で、ホルダ１の腹側に指入れ凹所１７を設けている。
請求項７の発明では、頭部側載置用支持部１５と尻部側載置用支持部１６とを載置した状態でホルダ１の腹側と載置面Ｐとの間に指入れ凹所１７が生じるので、ホルダ１を把持し易い。
【００１２】
次に、請求項以外の技術的思想について実施形態の図面の符号を援用して説明する。
【００１５】
請求項６の発明を前提とする第８の発明において、前記両支持腕部８は前記両載置腕部６に対し屈曲部５で屈曲し、その両載置腕部６の屈曲部５に頭部側載置用支持部１５を設けている。第８の発明では、屈曲部５により頭部側載置用支持部１５を簡単に設けることができる。
【００１７】
請求項７の発明を前提とする第９の発明において、前記指入れ凹所１７には複数の指を掛けることができる指掛け部１８を設けている。第９の発明では、指入れ凹所１７に入れた複数の指を指掛け部１８に掛けてホルダ１を把持し易い。
【００１８】
請求項１または請求項２の発明を前提とする第１０の発明において、前記ホルダ１にはホルダ１の長手方向Ｘに対し直交する幅方向Ｙの両側でそれぞれ、ホルダ１の頭部２側に設けた載置用支持部１５からホルダ１の尻部３側へ延びる指当て部１９を設けている。第１０の発明では、両指当て部１９に指を当ててホルダ１を把持し易い。
【００１９】
請求項１または請求項２の発明を前提とする第１１の発明において、前記ホルダ１にはヘッド１１の表面側と裏面側とを結ぶ方向の両側のうちヘッド１１の裏面側になるホルダ１の背側で指載せ部２１を設けている。第１１の発明では、指載せ部２１に指を当ててホルダ１を把持し易い。
【００２０】
第１１の発明を前提とする第１２の発明において、ヘッド１１の表面側と裏面側とを結ぶ方向の両側のうちヘッド１１の表面側になるホルダ１の腹側には、ホルダ１の載置用支持部１５，１６のうち、ホルダ１の頭部２側に設けた載置用支持部１５と、ホルダ１の尻部３側に設けた載置用支持部１６との間で指入れ凹所１７を設け、この指入れ凹所１７には複数の指を掛けることができる指掛け部１８を設け、前記指載せ部２１はホルダ１の頭部２側に設けた載置用支持部１５とこの指掛け部１８との間で設けられている。第１２の発明では、指掛け部１８及び指載せ部２１に指を当ててホルダ１を把持し易い。
【００２１】
第１２の発明を前提とする第１３の発明において、前記指載せ部２１は、ホルダ１の頭部２側へ突出してホルダ１の背側との間で隙間Ｑを持たせた突出部２１ａを有している。第１３の発明では、ホルダ１を軽量化するとともに、隙間Ｑに指を入れてホルダ１を把持し易い。
【００２２】
請求項１または請求項２の発明の発明を前提とする第１４の発明において、ホルダ１の載置用支持部１５，１６のうち、ホルダ１の頭部２側に設けた載置用支持部１５と、ホルダ１の尻部３側に設けた載置用支持部１６との間で、重心Ｇを有している。第１４の発明では、ホルダ１の載置状態でホルダ１を安定性良く載置して載置面Ｐに対しヘッド１１を離間させ易い。
【００２３】
第１４の発明を前提とする第１５の発明において、前記ホルダ１の載置用支持部１５，１６のうち、ホルダ１の頭部２側に設けた載置用支持部１５と、ホルダ１の尻部３側に設けた載置用支持部１６との間で、ヘッド１１の表面側と裏面側とを結ぶ方向の両側のうちヘッド１１の表面側になるホルダ１の腹側に指入れ凹所１７を設け、この指入れ凹所１７には複数の指を掛けることができる指掛け部１８を設け、前記重心Ｇはホルダ１の頭部側載置用支持部１５とこの指掛け部１８との間にある。第１５の発明では、ホルダ１の載置状態でホルダ１を安定性良く載置して載置面Ｐに対しヘッド１１を離間させ易い。
【００２４】
請求項１または請求項２の発明を前提とする第１６の発明において、ホルダ１の頭部２と尻部３とを結ぶホルダ１の長手方向Ｘの両側の載置用支持部のうち尻部３側の載置用支持部は、ヘッド１１の表面側と裏面側とを結ぶ方向の両側のうちヘッド１１の表面側になるホルダ１の腹側で、頭部２と尻部３との間に設けた突部１４ｂである。第１６の発明では、各種形状の載置面Ｐにホルダ１を載置することができる。
【００２５】
請求項１または請求項２の発明を前提とする第１７の発明において、ホルダ１の頭部２と尻部３とを結ぶホルダ１の長手方向Ｘの両側の載置用支持部のうち尻部３側の載置用支持部１８ｂは、ヘッド１１の表面側と裏面側とを結ぶ方向の両側のうちヘッド１１の表面側になるホルダ１の腹側で、頭部２と尻部３との間に設けた指入れ凹所１７の指掛け部１８に生じる。第１７の発明では、各種形状の載置面Ｐにホルダ１を載置することができる。
【発明の効果】
【００２６】
本発明は、ホルダ１の形態を改良して剃刀の載置状態でヘッド１１を保護することができる。
【発明を実施するための最良の形態】
【００２７】
以下、本発明の一実施形態にかかるＴ型剃刀について図１〜２を参照して説明する。
ホルダ１は頭部２と尻部３とその頭部２と尻部３との間で長手方向Ｘへ延びる把持部４とを備えている。この頭部２はこの把持部４に対し屈曲部５で屈曲し、このホルダ１の全体は、その長手方向Ｘに対し直交する幅方向Ｙの両側から見て、頭部２と把持部４との間の境となる屈曲部５により略Ｓ状に湾曲している。この把持部４において屈曲部５との隣接部分には幅方向Ｙの両側で金属製の載置腕部６が配設され、その一対の載置腕部６間に貫通孔７が設けられている。このホルダ１の頭部２は、ホルダ１の幅方向Ｙの両側で把持部４の両載置腕部６から屈曲部５を介して延設された金属製の支持腕部８と、その両支持腕部８間に設けられた支持体部９と、その支持体部９と両支持腕部８との間で囲まれて両載置腕部６間の貫通孔７から連続する貫通孔１０とを有している。この支持体部９には刃体１２の刃先１２ａを表面側で露出させたヘッド１１がホルダ１の長手方向Ｘに対しＴ状に配置されて着脱可能に支持されているとともに矢印方向Ｒへ首振りするように回動可能に支持され、このヘッド１１の刃先延設方向がホルダ１の長手方向Ｘに対し交差している。このヘッド１１の表面側にはシェービングエイド１１ａ，１１ｂが設けられている。
【００２８】
前記ヘッド１１の表面側と裏面側とを結ぶ方向の両側のうちヘッド１１の表面側になるホルダ１の把持部４及び尻部３の腹側においては、両載置腕部６に沿う樹脂製の腹部１３が露出しているとともに、その両載置腕部６と尻部３との間でその腹部１３よりも柔軟な軟質樹脂製の腹部１４が露出し、ホルダ１内に埋設された硬質樹脂によりその腹部１４が支えられている。この両腹部１３にはそれぞれ屈曲部５で頭部側載置用支持部１５が設けられている。この腹部１４には尻部３で尻部側載置用支持部１６が設けられている。この一対の頭部側載置用支持部１５と一つの尻部側載置用支持部１６との間でこの腹部１４には指入れ凹所１７が設けられているとともに、その指入れ凹所１７には複数の指を掛けることができる指掛け部１８が設けられ、この指掛け部１８の長手方向Ｘの両端部に凹凸状の滑止め部１８ａが形成されている。これら三箇所の載置用支持部１５，１６を互いに結ぶ載置面Ｐに対しこの指入れ凹所１７の指掛け部１８が離間している。この両腹部１３には幅方向Ｙの両側でそれぞれ載置用支持部１５から尻部３側へ延びる指当て部１９が滑止めのために凹凸部を有するように設けられている。この両腹部１３には指当て部１９に沿う指掛け部１３ａが頭部側載置用支持部１５から尻部３側へ向うに従い背側へ傾斜するように形成されている。この腹部１４には指入れ凹所１７の指掛け部１８の端部から連続する指掛け部１４ａが頭部２側へ向うに従い背側へ傾斜するように形成されている。
【００２９】
前記ヘッド１１の表面側と裏面側とを結ぶ方向の両側のうちヘッド１１の裏面側になるホルダ１の把持部４及び尻部３の背側においては、両載置腕部６に隣接して露出する金
属製の台部２０上に頭部側載置用支持部１５と腹側の指掛け部１８との間で硬質樹脂製の指載せ部２１が露出し、前記指当て部１９を有する両腹部１３が滑止めのための凹凸部を有する樹脂製連繋部２２でこの台部２０を挟むように互いに連続し、この連繋部２２と尻部３との間で露出する金属製の背部２３で長手方向Ｘへ延びてその長手方向Ｘを表示する細長い硬質樹脂製の装飾部２４が露出している。この硬質樹脂製装飾部２４は前記腹部１４を支えるためにホルダ１内に埋設された硬質樹脂の一部である。この指載せ部２１は、台部２０とともに頭部２側へ突出して両載置腕部６及び貫通孔７との間で隙間Ｑを持たせた突出部２１ａを有している。
【００３０】
このＴ型剃刀は、頭部側載置用支持部１５と、その頭部側載置用支持部１５と尻部側載置用支持部１６との間にある指掛け部１８との間で、重心Ｇを有している。
このＴ型剃刀においては、図２（ａ）で、長手方向Ｘにおけるホルダ１の長さが約１３０ｍｍに、長手方向Ｘにおける頭部２の長さが約３０ｍｍに、長手方向Ｘにおける尻部３の長さが約１０ｍｍにそれぞれ設定され、ホルダ１の長さに対する頭部２の長さの割合を１０％〜４０％に設定するとともに、ホルダ１の長さに対する尻部３の長さの割合を０％〜４０％に設定することが好ましい。なお、これらの長さ以外に設定してもよい。
【００３１】
図３に示すように本実施形態にかかるＴ型剃刀の載置状態の別例１では、ホルダ１の腹側で頭部２と尻部３との間に設けられた突部１４ｂが尻部３側の載置用支持部になる。なお、二点鎖線で示すようにホルダ１の尻部３側を背側に反らせてもよい。また、図示しないが、この突部１４ｂと尻部側載置用支持部１６とによりホルダ１を載置してもよい。
【００３２】
図４に示すように本実施形態にかかるＴ型剃刀の載置状態の別例２では、指入れ凹所１７の指掛け部１８に尻部３側の載置用支持部１８ｂが生じる。
本実施形態は下記の効果を有する。
【００３３】
＊  ホルダ１を載置すると、ホルダ１は一対の頭部側載置用支持部１５と一つの尻部側載置用支持部１６とによる三点支持で安定性良く支持され、たとえヘッド１１が首振りしても、ヘッド１１の表面側と載置面Ｐとの間に空隙Ｅが生じてヘッド１１の表面側が載置面Ｐに当らない。そのため、ヘッド１１の表面側で露出するシェービングエイド１１ａ，１１ｂが載置面Ｐに付着したり刃先１２ａが傷付いたりするおそれがなくなってヘッド１１を保護することができる。また、載置面Ｐの汚れがヘッド１１の表面側に付着しにくくなり、その汚れが使用者の肌に付くおそれがなくなって衛生的である。なお、その頭部側載置用支持部１５と尻部側載置用支持部１６とは樹脂により成形されているため、ホルダ１の載置状態で滑りにくく、この尻部側載置用支持部１６はこの頭部側載置用支持部１５よりも軟質であるためにより滑りにくい。この頭部側載置用支持部１５をこの尻部側載置用支持部１６と同一樹脂により成形すれば、より一層滑りにくい。ちなみに、この空隙Ｅについては、ヘッド１１の表面側と載置面Ｐとの間の寸法を０．２ｍｍ〜１０ｍｍに設定することが好ましい。
【００３４】
＊  ホルダ１の全体は、頭部２と把持部４との間の屈曲部５によりＳ状に湾曲しているので、屈曲部５に頭部側載置用支持部１５を設けるとともに尻部３に尻部側載置用支持部１６を設けることにより、ホルダ１に頭部側載置用支持部１５と尻部側載置用支持部１６とを簡単に設けることができる。
【００３５】
前記実施形態以外にも例えば下記のように構成してもよい。
・  前記頭部側載置用支持部１５を一つまたは複数設け、前記尻部側載置用支持部１６を一つまたは複数設けてもよく、例えば、頭部側載置用支持部１５を一つ設けるとともに尻部側載置用支持部１６を幅方向Ｙで一対設けてホルダ１をその一対の尻部側載置用支持部１６と一つの頭部側載置用支持部１５とによる三箇所で支持して載置したり、頭部側載置用支持部１５を幅方向Ｙで一対設けるとともに尻部側載置用支持部１６を幅方向Ｙで一対設けてホルダ１をその一対の頭部側載置用支持部１５と一対の尻部側載置用支持部１６とによる四箇所で支持して載置したりしてもよい。
【００３６】
・  前記ホルダ１の頭部２において両支持腕部８間の貫通孔１０を省略してその両支持腕部８を閉塞部で互いに連結したり、前記ホルダ１の把持部４において両載置腕部６間の貫通孔７を省略してその両載置腕部６を閉塞部で互いに連結したりしてもよい。
【００３７】
・  ヘッド１１は、首振り可能なロック解除状態と首振り不能なロック状態とを取り得るようにしてもよい。
【図面の簡単な説明】
【００３８】
【図１】（ａ）は本実施形態にかかるＴ型剃刀全体をホルダの背側から見た斜視図であり、（ｂ）は同じくホルダの腹側から見た斜視図である。
【図２】（ａ）は本実施形態にかかるＴ型剃刀の載置状態を示す側面図であり、（ｂ）は同じく平面図であり、（ｃ）は同じく底面図である。
【図３】本実施形態にかかるＴ型剃刀の載置状態の別例１を示す側面図である。
【図４】本実施形態にかかるＴ型剃刀の載置状態の別例２を示す側面図である。
【符号の説明】
【００３９】
１…ホルダ、２…ホルダの頭部、３…ホルダの尻部、４…ホルダの把持部、５…ホルダの屈曲部、１１…ヘッド、１２…ヘッドの刃体、１２ａ…刃先、１５…頭部側載置用支持部、１６…尻部側載置用支持部。
【図１】
0005221967.tif 000002
【図２】
0005221967.tif 000003
【図３】
0005221967.tif 000004
【図４】
0005221967.tif 000005